(57)【要約】【課題】  冷蔵庫の高さを便利に調節し、冷蔵庫から設置面にまたは設置面から冷蔵庫に伝達される振動を低減させることができる冷蔵庫の支持装置を提供することにある。【解決手段】  冷蔵庫本体の下面に少なくとも一つ以上の高さ調節可能に装着される昇降ロードと、前記昇降ロードの下端に固定されて下部が開放された上部キャップと、前記上部キャップに上下方向に移動可能に挿入される下部キャップと、前記上部キャップと下部キャップ間に配置されて制動作用をする制動ばねとを含む。【選択図】      図２
2006003064.tif 000002
【特許請求の範囲】
【請求項１】
冷蔵庫本体の下面に少なくとも一つ以上高さ調節可能に装着される昇降ロードと、
前記昇降ロードの下端に固定されて下部が開放された上部キャップと、
前記上部キャップに上下方向に移動可能に挿入される下部キャップと、
前記上部キャップと下部キャップとの間に設置されて制動作用をする制動ばねと、を含むことを特徴とする冷蔵庫の支持装置。
【請求項２】
前記昇降ロードはその外周面に雄ネジ部が形成され、前記冷蔵庫本体の下面に装着された取付けブラケットに形成された雌ネジ部にネジ結合されることを特徴とする請求項１に記載の冷蔵庫支持装置。
【請求項３】
前記上部キャップは下部が開放された円筒形態であり、その外周面には取って回すことができる複数の突出部が形成されていることを特徴とする請求項１に記載の冷蔵庫の支持装置。
【請求項４】
前記下部キャップは上部が開放された円筒形態であり、その下面に冷蔵庫が設置される設置面と接触する防振部材が装着されていることを特徴とする請求項１に記載の冷蔵庫の支持装置。
【請求項５】
前記上部キャップと下部キャップ間には前記下部キャップが上部キャップから離脱することを防止する離脱防止部が形成されていることを特徴とする請求項１に記載の冷蔵庫の支持装置。
【請求項６】
前記離脱防止部は、前記上部キャップの下端の内周面に周方向に形成された係止突起と、
前記下部キャップの上端の外周面に周方向に形成されて前記係止突起に掛止される係止フックと、を含むことを特徴とする請求項５に記載の冷蔵庫の支持装置。
【請求項７】
前記制動ばねは前記上部キャップの内側上面と前記下部キャップの内側底面間に設置されていることを特徴とする請求項１に記載の冷蔵庫の支持装置。
【請求項８】
前記上部キャップの内側上面には前記制動ばねの上端を支持する上部ばね座が形成され、前記下部キャップの内側底面には前記制動ばねの下端を支持する下部ばね座が形成されていることを特徴とする請求項７に記載の冷蔵庫の支持装置。
【請求項９】
前記上部キャップと制動ばね間には前記上部キャップと前記制動ばねとが相対回転できるようにするばね支持部材が設置されていることを特徴とする請求項１に記載の冷蔵庫の支持装置。
【請求項１０】
前記ばね支持部材は板状に形成され、その下面には前記制動ばねが離脱することを防止する離脱防止リブが形成され、その上面中央には前記上部キャップに形成された矩形溝に回転可能に挿入される矩形突起が形成されていることを特徴とする請求項９に記載の冷蔵庫の支持装置。
【請求項１１】
前記上部キャップと制動ばねの上端との間には前記上部キャップと前記制動ばねとが相対回転できるようにする上部ばね支持部材が設置され、
前記下部キャップと制動ばねの下端との間には前記下部キャップと前記制動ばねとが相対回転できるようにする下部ばね支持部材が設置されていることを特徴とする請求項１に記載の冷蔵庫の支持装置。
【発明の詳細な説明】
【技術分野】
【０００１】
本発明は、冷蔵庫の支持装置に関し、詳しくは、冷蔵庫の高さを便利に調節し、冷蔵庫から設置面にまたは設置面から冷蔵庫に伝達される振動を低減させることができる冷蔵庫の支持装置に関する。
【背景技術】
【０００２】
図６は従来技術による冷蔵庫下部の断面図である。
従来技術による冷蔵庫は、各種冷凍食品が貯蔵される冷凍室と冷蔵食品が貯蔵される冷蔵室を備えた冷蔵庫本体１０２と、前記冷蔵庫本体１０２の前面に開閉可能に装着されるドア１０４と、前記冷蔵庫本体１０２の後方下部に位置して冷媒を圧縮する圧縮機１０６などのように冷凍サイクルをなす各種部品らが取り付けられる機械室１０８と、から構成される。
【０００３】
前記冷蔵庫本体１０２の底面には底板１１０が装着され、前記機械室１０８内部には冷媒を圧縮する圧縮機１０６が前記底板１１０に防振ゴム１１２により緩衝可能に装着され、前記機械室１０８の上面には除霜作用により発生する水が貯留されるトレー１１４が取り付けられる。
【０００４】
前記冷蔵庫本体１０２の下面前方の両側隅部には前記冷蔵庫の高さ調節ができるように支持する支持装置１２０が装着され、前記冷蔵庫本体１０２の下面後方の両側隅部には前記冷蔵庫の移動を容易にする支持ローラ１３０が装着される。
【０００５】
前記支持装置は図７に示すように、前記冷蔵庫本体１０２の下面前方の両側隅部に固定される取付けブラケット１２２と、前記取付けブラケット１２２に螺合され回転により上下方向に移動する支持脚１２４と、前記支持脚１２４の下端に装着され、設置面１４０に接触する足部１２６と、から構成される。
【０００６】
このように構成される冷蔵庫を設置面１４０に設置する場合、冷蔵庫の前方を持ち上げて支持ローラ１３０を利用して冷蔵庫本体１０２を設置位置に移動させる。そして、冷蔵庫本体１０２を設置面１４０に位置決めした後に、支持装置１２０の支持脚１２４を回転させて冷蔵庫の高さ及び水平を調節することになる。
【０００７】
然し、上記のような従来技術に係る冷蔵庫は、設置面１４０で振動が発生する場合、前記設置面１４０の振動が支持装置１２０及び支持ローラ１３０を通じて前記冷蔵庫本体１０２に伝達され、また、前記冷蔵庫本体１０２で発生する振動が支持装置１２０及び支持ローラ１３０を通して設置面１４０に伝達されるとの問題を生じる。
【０００８】
特に、振動に大きく影響されるワイン冷蔵庫の場合、外部の振動が冷蔵庫本体に伝達されれば、ワインの熟成に問題が生じる。
【０００９】
また、従来技術の冷蔵庫の支持装置は、高さを調節するために支持脚１２４を回転させなければならないのに、足部１２６と設置面１４０間の摩擦により前記支持脚１２４を回転させることが難しく、強制的に支持脚１２４を回転させる場合、設置面１４０が損傷されるとの問題を生じる。
【発明の開示】
【発明が解決しようとする課題】
【００１０】
そこで、本発明はこのような従来技術の問題点を解決するために創出されたもので、本発明の目的は、冷蔵庫本体と設置面間の相互振動が伝達されることを抑制し、冷蔵庫の高さを便利に調節することができる冷蔵庫の支持装置を提供することにある。
【課題を解決するための手段】
【００１１】
このような目的を達成するための本発明に係る冷蔵庫の支持装置は、冷蔵庫本体の下面に高さ調節の可能に少なくとも一つ以上が装着される昇降ロードと、前記昇降ロードの下端に固定され下部が開放された上部キャップと、前記上部キャップに上下方向に移動可能に挿入される下部キャップと、前記上部キャップと下部キャップとの間に設置されて制動（ｄａｍｐｉｎｇ）作用をする制動（ｄａｍｐｉｎｇ）ばねとを含むことを特徴とする。
【００１２】
好適形態において、前記昇降ロードはその外周面に雄ネジ部が形成され、前記冷蔵庫本体の下面に装着された取付けブラケットに形成された雌ネジ部にネジ結合される構成である。
【００１３】
好適形態において、前記上部キャップは下部が開放された円筒形態であり、その外周面には取って回すことができる複数の突出部が形成されている。
【００１４】
好適形態において、前記下部キャップは上部が開放された円筒形態であり、その下面に冷蔵庫が設置される設置面と接触する防振部材が装着されている。
【００１５】
好適形態において、前記上部キャップと下部キャップ間には前記下部キャップが上部キャップから離脱することを防止する離脱防止部が形成されている。
【００１６】
好適形態において、前記離脱防止部は、前記上部キャップの下端の内周面に周方向に形成された係止突起と、前記下部キャップの上端の外周面に周方向に形成されて前記係止突起に掛止される係止フックとを含む。
【００１７】
好適形態において、前記制動ばねは前記上部キャップの内側上面と前記下部キャップの内側底面間に設置されている。
【００１８】
好適形態において、前記上部キャップの内側上面には前記制動ばねの上端を支持する上部ばね座が形成され、前記下部キャップの内側底面には前記制動ばねの下端を支持する下部ばね座が形成されている。
【００１９】
好適形態において、前記上部キャップと制動ばね間には前記上部キャップと前記制動ばねとが相対回転できるようにするばね支持部材が設置されている。
【００２０】
好適形態において、前記ばね支持部材は板状に形成され、その下面には前記制動ばねが離脱することを防止する離脱防止リブが形成され、その上面中央には前記上部キャップに形成された矩形溝に回転可能に挿入される矩形突起が形成されている。
【００２１】
他の好適形態において、前記上部キャップと制動ばねの上端との間には前記上部キャップと前記制動ばねとが相対回転できるようにする上部ばね支持部材が設置され、
前記下部キャップと制動ばねの下端との間には前記下部キャップと前記制動ばねとが相対回転できるようにする下部ばね支持部材が設置されている。
【発明を実施するための最良の形態】
【００２２】
以下、本発明の実施形態について図面を用いて詳しく説明する。
図１は本発明による冷蔵庫の下部の斜視図である。
本発明による冷蔵庫は、冷凍食品が貯蔵される冷凍室と冷蔵食品が貯蔵される冷蔵室を具備し、前面にドア１４が開閉可能に装着される冷蔵庫本体１０と、前記冷蔵庫本体１０の下部に配置されて冷凍サイクルの各種構成要素が設置される機械室１２と、前記冷蔵庫本体１０の下面に装着されて前記冷蔵庫本体１０を支持する支持装置１６と、から構成される。
【００２３】
前記冷蔵庫本体１０の下面には底板１８が取り付けられて、前記機械室１２の上側には除霜作用で冷凍サイクルにより発生する水を貯留するトレー２０が設置され、前記機械室１２内部の前記底板１８の上面には冷媒を圧縮する圧縮機２２が装着され、前記機械室１２の前面にはカバー２６がボルト２８で締結される。
【００２４】
そして、前記冷蔵庫本体１０の下面には冷蔵庫を移動させるための支持ローラ２４と、前記冷蔵庫の高さ及び水平を調節する支持装置１６が各々装着される。
【００２５】
前記支持装置１６は図２及び図３に示すように、前記冷蔵庫本体１０の下面に少なくとも一つ装着される取付けブラケット３０と、前記取付けブラケット３０にネジ結合され、回転により上下方向に昇降する昇降脚３２と、前記昇降脚３２の下端に固定され下部が開放された上部キャップ３４と、前記上部キャップ３４の開放された下部に回転可能に挿入される下部キャップ３６と、前記上部キャップ３４と下部キャップ３６との間に配置されて振動を吸収する制動ばね３８と、から構成される。
【００２６】
ここで、前記支持装置１６は前記冷蔵庫本体１０の下面前方の両側隅部に設置されることが望ましく、前記支持ローラ２４は前記冷蔵庫本体１０の下面後方の両側隅部に設置されることが望ましい。
【００２７】
前記昇降脚１３２はその外周面に雄ネジ部４０が形成され前記取付けブラケット３０に形成された雌ネジ部４２にネジ結合されて、前記昇降脚３２を回転させると、昇降脚３２が取付けブラケット３０の雌ネジ部４２に沿って昇降する。
【００２８】
前記上部キャップ３４はその下部が開放された円筒形態に形成され、その内側上面には前記制動ばね３８の上端が支持される上部ばね座４４が形成される。そして、前記昇降脚３２を上下方向に昇降させるために前記上部キャップ３４を回すのに、この時、前記上部キャップ３４を取って回すことが容易になるように、前記上部キャップ３４の外周面には多数の突出部４８が等間隔をおいて形成される。
【００２９】
前記下部キャップ３６は上部の開放された円筒形態に形成されて前記上部キャップ３４の内周面に回転及び上下方向に移動可能に構成され、その内側の底面には前記制動ばね３８の下端が支持される下部ばね座４６が形成される。
【００３０】
そして、前記下部キャップ３６の下面には設置面５０と接触して防振作用をする防振部材５２装着される。前記防振部材５２はゴム材質で形成されることが望ましい。
【００３１】
前記上部キャップ３４と下部キャップ３６間には前記下部キャップ３６が上部キャップ３４に挿入された後に離脱することを防止する離脱防止部５４が形成される。前記離脱防止部５４は前記上部キャップ３４の下端の内周面に周方向に形成される係止突起５６と、前記下部キャップ３６の上端の円周方向に形成されて前記係止突起５６に掛止される係止フック５８と、から構成される。
【００３２】
前記下部キャップ３６の上側には多数のスロット６０が円周方向に等間隔をおいて形成され、前記スロット６０により分割された下部キャップ３６の上側は半径方向に弾性変形する。従って、前記下部キャップ３６を前記上部キャップ３４に容易に挿入することができるし、前記下部キャップ３６が上部キャップ３４に挿入された後に前記下部キャップ３６の係止フック５８が前記上部キャップ３４の係止突起５６に掛止された状態を維持することができるようにする。
【００３３】
以下、上記のように構成された本発明の一実施例による冷蔵庫支持装置の作用及び効果を説明する。
冷蔵庫を設置面５０に設置した後、上部キャップ３４の外周面に形成された突出部４８を取って回転させれば、前記上部キャップ３４に固定された支持脚３２が冷蔵庫本体１０に装着された取付けブラケット３０で上下方向に移動しながら前記冷蔵庫の高さ及び水平を調節することができる。この時、前記上部キャップ３４と前記下部キャップ３６とが相対回転可能に設置され、設置面５０に接触した下部キャップ３６は停止状態を維持し、上部キャップ３４だけが回転するに従い冷蔵庫の高さ及び水平調節が便利になされるようになる。そして、前記下部キャップ３６が停止した状態を維持するので、前記下部キャップ３６の下面に装着された防振部材５２と設置面５０間の摩擦を防止し、前記設置面５０が前記防振部材８２との摩擦により損傷されることを防止できる。
【００３４】
また、上部キャップ３４と下部キャップ３６間に制動ばね３８が設置されるとともに、下部キャップ３６の下面に防振部材５２が設置されて、前記冷蔵庫で発生する振動が設置面５０に伝達することを低減させ、また、前記設置面５０から冷蔵庫へ振動が伝達することを低減させることができる。
【００３５】
図４は本発明の第２実施例による冷蔵庫の支持装置の断面図である。
第２実施例による冷蔵庫の支持装置は、前記一実施例で説明した冷蔵庫の支持装置と同一であるが、但し、上部キャップ３４がより容易に回転できるように前記上部キャップ３４の内面と前記制動ばね３８の上端との間にばね支持部材７０が設置される。
【００３６】
前記ばね支持部材７０は円板形態であり、その下面の縁部には前記制動ばね３８が離脱することを防止するために円周方向に離脱防止リブ７２が形成され、その上面中央には前記上部キャップ３４に回転可能に支持されるように前記上部キャップ３４の内面に形成された矩形溝７４に挿入される矩形突起７６が形成される。
【００３７】
そして、前記ばね支持部材７０の上面縁部には、円周方向に前記ばね支持部材７０の水平を維持するために、前記上部キャップ３４の内面に接触する支持リブ７８が突出される。
【００３８】
このような第２実施例による冷蔵庫の支持装置は、ばね支持部材７０の上面が上部キャップ３４に回転可能に設置され、ばね支持部材７０の下面に制動ばね３８が支持されて、前記上部キャップ３４がより便利に回転するように構成される。
【００３９】
図５は本発明の第３実施例による冷蔵庫の支持装置の断面図である。
第３実施例による冷蔵庫の支持装置は、前記第１実施例で説明した冷蔵庫の支持装置とその構成が同一であるが、但し、上部キャップ３４と制動ばね３８間に上部ばね支持部材８０が設置され、下部キャップ３６と制動ばね３８間に下部ばね支持部材８２が設置される。
【００４０】
第３実施例による上部キャップ３４にはその上面の内周面に雌ネジ部が形成された昇降部９８が形成されており、前記冷蔵庫本体１０の下面に装着された取付けブラケット３０の支持ロード９６には前記昇降部９８の雌ネジ部にネジ結合する雄ネジ部が形成されており、上部キャップ３４は支持ロード９６に固定される。
【００４１】
前記第３実施例による上部ばね支持部材８０は円板形態であり、その下面の縁部には前記制動ばね３８の離脱を防止するために円周方向に離脱防止リブ８８が形成され、その上面中央には前記上部キャップ３４に回転可能に支持できるように前記上部キャップ３４の内面に形成された矩形溝８６に挿入される矩形突起８４が形成される。
【００４２】
そして、前記下部ばね支持部材８２は円板形態であり、その上面縁部には円周方向に前記制動ばね３８の離脱を防止する離脱防止リブ９０が形成され、その下面には周方向に前記下部キャップ３６の底面に形成された円形溝９４に挿入されて前記円形溝９４に沿って回転する円形突起部９２が形成される。
【００４３】
このように構成された第３実施例による冷蔵庫の支持装置は、上部キャップ３４と制動ばね３８の上端間に上部ばね支持部材８０が回転可能に設置され、下部キャップ３６と制動ばね３８の下端間に下部ばね支持部材８２が回転可能に設置されて、前記上部キャップ３４がより円滑に回転できるようになる。
【図面の簡単な説明】
【００４４】
【図１】本発明による冷蔵庫底部の斜視図である。
【図２】本発明の実施例による冷蔵庫の支持装置の断面図である。
【図３】図２のV-V線に従う断面図である。
【図４】本発明の第２実施例による冷蔵庫の支持装置の断面図である。
【図５】本発明の第３実施例による冷蔵庫の支持装置の断面図である。
【図６】従来技術による冷蔵庫の底部を示した断面図である。
【図７】従来技術による冷蔵庫の支持装置の断面図である。
【符号の説明】
【００４５】
１０    冷蔵庫本体
１６    支持装置
３０    取付けブラケット
３２    昇降脚
３４    上部キャップ
３６    下部キャップ
３８    制動ばね
４４    上部ばね座
４６    下部ばね座
５０    設置面
５２    防振部材
５４    離脱防止部
５６    係止突起
５８    係止フック
【図１】
2006003064.tif 000003
【図２】
2006003064.tif 000004
【図３】
2006003064.tif 000005
【図４】
2006003064.tif 000006
【図５】
2006003064.tif 000007
【図６】
2006003064.tif 000008
【図７】
2006003064.tif 000009